(57)【要約】【課題】しのび返しを取り付けるための平坦面がない線格子フェンスにも簡単にしのび返しを取り付けることができるしのび返し取付具を提供することを目的とする。【解決手段】本発明のしのび返し取付具は、縦線および横線が互いに交差して格子状に結合されたフェンスにしのび返しを取り付けるためのものであって、しのび返し取付具が、フェンスの横線を収容可能な第一の溝と、フェンスの縦線を収容するための第二の溝とを有する取付具本体を備え、第一の溝が前記第二の溝と交差するとともに、第一の溝および第二の溝のうちの一方の溝が、他方の溝よりも深くなるように形成されていることを特徴とする。【選択図】図１
2014020107.tif 000002
【特許請求の範囲】
【請求項１】
縦線および横線が互いに交差して格子状に結合されたフェンスにしのび返しを取り付けるためのしのび返し取付具であって、
該しのび返し取付具が、
フェンスの横線を収容可能な第一の溝と、
フェンスの縦線を収容するための第二の溝とを有する取付具本体を備え、
前記第一の溝が前記第二の溝と交差するとともに、第一の溝および第二の溝のうちの一方の溝が、他方の溝よりも深くなるように形成されていることを特徴とするしのび返し取付具。
【請求項２】
前記第一の溝が、前記第二の溝よりも深くなるように形成されていることを特徴とする請求項１記載のしのび返し取付具。
【請求項３】
前記しのび返し取付具が、
前記取付具本体に取り付けられるしのび返し取付部材をさらに備え、しのび返し取付部材を介してしのび返しが取り付けられることを特徴とする請求項１または２記載のしのび返し取付具。
【請求項４】
前記第二の溝が、前記第一の溝と第二の溝の交差部から離れる方向に向かうにつれて傾斜した傾斜部を有することを特徴とする請求項１〜３のいずれかに記載のしのび返し取付具。
【請求項５】
前記しのび返し取付部材が前記取付具本体に取り付けられたときに、前記しのび返し取付部材のうち、前記第二の溝に対応する位置に貫通スリットが形成されていることを特徴とする請求項３または４記載のしのび返し取付具。
【発明の詳細な説明】
【技術分野】
【０００１】
本発明は、しのび返し取付具に関する。
【背景技術】
【０００２】
従来、防犯のために、門扉や塀などに外部からの侵入を防止することを目的としてしのび返しが取り付けられている。このしのび返しは、たとえば特許文献１に示されるように、鋭い尖端を有する刃を有した部材を、門扉や塀、フェンスなどに、ネジ等の固定手段により取り付けて使用される。
【０００３】
一方、従来は門扉や塀などは重厚で堅牢なものが多かったが、近年では、軽量で安価なフェンスが用いられることが多くなっている。このようなフェンスは、図１０に示されるように、アルミやスチール製の縦線Ｘおよび横線Ｙが格子状に結合されたフェンス部と、フェンス部を支持する支柱（図示せず）とから構成されている（以下、このようなフェンスを線格子フェンスという）。フェンス部の上端は、軽量かつ安価にするために、上記縦線Ｘと横線Ｙにより構成されており、たとえば、図１０に示されるような、縦線Ｘをフェンスの上端側で逆三角形状に折り曲げて形成したものや、図１１に示されるように、円形に湾曲させたものや、図１２に示されるような三角形状に折り曲げて形成したものがある。
【先行技術文献】
【特許文献】
【０００４】
【特許文献１】実用新案登録第３１４０８０５号公報
【発明の概要】
【発明が解決しようとする課題】
【０００５】
しかしながら、図１０〜１２に示された線格子フェンスにしのび返しを取り付けようとした場合、フェンス部の上端に、安定してしのび返しを取り付けるための平坦面がないため、紐状の結束具などによりフェンスに縛り付けてしのび返しを取り付けており、見栄えが悪いうえに、取り付けが煩雑であるという問題があった。また、図１０〜１２に示されるフェンスは、フェンスの上端側に配置された横線Ｙを取り囲むようにして縦線Ｘが加工されており、この構造もしのび返しの取り付けを困難にしている一因となっている。さらに、しのび返しは、上述のように鋭い尖端を有する刃が設けられているため、安定かつ容易に取り付けられなければ、怪我をする危険性が高まってしまう。
【０００６】
そこで、本発明はかかる問題点に鑑みて、上述のようなしのび返しを取り付けるための平坦面がない線格子フェンスにも安定かつ容易にしのび返しを取り付けることができるしのび返し取付具を提供することを目的とする。
【課題を解決するための手段】
【０００７】
本発明のしのび返し取付具は、縦線および横線が互いに交差して格子状に結合されたフェンスにしのび返しを取り付けるためのしのび返し取付具であって、該しのび返し取付具が、フェンスの横線を収容可能な第一の溝と、フェンスの縦線を収容するための第二の溝とを有する取付具本体を備え、前記第一の溝が前記第二の溝と交差するとともに、第一の溝および第二の溝のうちの一方の溝が、他方の溝よりも深くなるように形成されていることを特徴とする。
【０００８】
また、前記第一の溝が、前記第二の溝よりも深くなるように形成されていることが好ましい。
【０００９】
また、前記しのび返し取付具が、前記取付具本体に取り付けられるしのび返し取付部材をさらに備え、しのび返し取付部材を介してしのび返しが取り付けられることが好ましい。
【００１０】
また、前記第二の溝が、前記第一の溝と第二の溝の交差部から離れる方向に向かうにつれて傾斜した傾斜部を有することが好ましい。
【００１１】
また、前記しのび返し取付部材が前記取付具本体に取り付けられたときに、前記しのび返し取付部材のうち、前記第二の溝に対応する位置に貫通スリットが形成されていることが好ましい。
【発明の効果】
【００１２】
本発明によれば、しのび返しを取り付けるための平坦面がない線格子フェンスにも簡単にしのび返しを取り付けることができる。
【図面の簡単な説明】
【００１３】
【図１】本発明のしのび返し取付具の斜視図である。
【図２】本発明のしのび返し取付具に用いられる取付具本体の斜視図である。
【図３】本発明のしのび返し取付具に用いられる取付具本体の上面図である。
【図４】（ａ）は、図３におけるＩ−Ｉ線断面図であり、（ｂ）は、図３におけるＩＩ−ＩＩ線断面図である。
【図５】（ａ）は、本発明のしのび返し取付具に用いられるしのび返し取付部材の上面図であり、（ｂ）は、図５（ａ）におけるＩＩＩ−ＩＩＩ線断面図である。
【図６】本発明のしのび返し取付具に、しのび返しがネジにより取り付けられた状態を示す断面図である。
【図７】（ａ）は、取付具本体にフェンスの縦線および横線が嵌め込まれた状態を示し、（ｂ）は、取付具本体にしのび返し取付部材が取り付けられた状態を示し、（ｃ）は、しのび返し取付具にしのび返しが取り付けられた状態を示す図である。
【図８】本発明のしのび返し取付具を、上端部が円形のフェンスに取り付けた状態を示した図である。
【図９】本発明のしのび返し取付具を、上端部が三角形のフェンスに取り付けた状態を示した図である。
【図１０】縦線および横線から構成されている従来のフェンスを示す図である。
【図１１】縦線および横線から構成されている従来の他のフェンスを示す図である。
【図１２】縦線および横線から構成されている従来の他のフェンスを示す図である。
【発明を実施するための形態】
【００１４】
以下、添付図面を参照し、本発明のしのび返し取付具を詳細に説明する。
【００１５】
図１に示されるのは、縦線Ｘおよび横線Ｙが互いに交差して格子状に結合されたフェンスにしのび返しを取り付けるためのしのび返し取付具１であり、このしのび返し取付具１は、フェンスの横線Ｙを収容可能な第一の溝Ｇ１と、フェンスの縦線Ｘを収容するための第二の溝Ｇ２とを有する取付具本体２を備えている。取付具本体２は、図１〜図３に示されるように、略直方体状を呈したブロック体に、第一の溝Ｇ１と第二の溝Ｇ２が交差するように形成されている。なお、横線Ｙを収容可能な第一の溝Ｇ１は、フェンスに取り付けられたときにフェンスの横線Ｙと平行になるように形成されているが、後述するように必ずしもフェンスの横線Ｙを収容せずに固定することもできるため、「収容可能な」としている。第一の溝Ｇ１と第二の溝Ｇ２は、第一の溝Ｇ１および第二の溝Ｇ２のうちの一方の溝が、他方の溝よりも深くなるように形成されている。本実施の形態では、図４（ａ）および（ｂ）に示されるように、第一の溝Ｇ１が、第二の溝Ｇ２よりも深くなるように構成されている。このように構成することで、図１０〜１２に示されるような、縦線Ｘと横線Ｙとが互いに交差するとともに、フェンスの上端部において、縦線Ｘが横線Ｙの上部側に位置しているようなフェンスに取り付けた場合に取付具本体２を取り付けやすくなる。
【００１６】
なお、第一の溝Ｇ１および第二の溝Ｇ２は、本実施の形態では、第一の溝Ｇ１の方が深くなるように構成されているが、フェンスの上端部において、横線Ｙが縦線Ｘよりも上部側に位置する場合には、第二の溝Ｇ２の方を深くするようにしてもよい。また、第一の溝Ｇ１と第二の溝Ｇ２との間の深さの差は、少なくともフェンスの縦線Ｘまたは横線Ｙの直径よりも大きくされていればよい。したがって、縦線Ｘまたは横線Ｙの太さが変わった場合は、第一の溝Ｇ１と第二の溝Ｇ２の深さや幅を変更することにより、様々なフェンスに対応することができる。第一の溝Ｇ１および第二の溝Ｇ２は、図４（ａ）および（ｂ）に示されるように、溝の底部の断面形状（溝の走行方向に対して垂直な断面の形状）が縦線Ｘおよび横線Ｙの外形に合わせて円弧状の溝として示されているが、溝の底部は平坦であってもよく、特にその形状は限定されるものではない。
【００１７】
本実施の形態では、図４（ｂ）に示されるように、第二の溝Ｇ２は、第一の溝Ｇ１と第二の溝Ｇ２の交差部Ｃ（図２および図３参照）から離れる方向に向かうにつれて傾斜している。すなわち、取付具本体２がフェンスに取り付けられた状態で上面となる面を、図４（ｂ）中、２Ａ（以下、単に上面２Ａという）とし、フェンスに取り付けられた状態で下面となる面を、図４（ｂ）中、２Ｂ（以下、単に下面２Ｂという）とすると、第二の溝Ｇ２は、交差部Ｃから離れるにつれて、下面２Ｂ側に向かってテーパ状に傾斜または湾曲して形成された傾斜部２１を有している。この第二の溝Ｇ２の傾斜部２１により、フェンスの上端部において、縦線Ｘが直線状に延びているものだけでなく、縦線Ｘが湾曲したものにも対応が可能となる。なお、第二の溝Ｇ２が傾斜部２１を有する場合、交差部Ｃから水平な部分を経て傾斜部２１が形成されてもよいし、交差部Ｃから直接傾斜部２１を形成してもよい。なお、第二の溝Ｇ２において、交差部Ｃから一方側だけに傾斜部２１を形成し、他方側を水平な溝としてもよいし、交差部Ｃから両側に傾斜部２１を形成してもよい。
【００１８】
さらに、第二の溝Ｇ２のうち、図４（ｂ）中、右側に示される、交差部Ｃから一方側に延びる部位は、交差部Ｃから傾斜部２１を介して垂直下方に折れ曲がった折り曲げ部２２を有している。傾斜部２１と折り曲げ部２２とにより、図１２に示すような、しのび返し取付具１を取り付ける場所において、縦線Ｘが垂直下方に延びているようなフェンスにも対応することができる。
【００１９】
なお、本実施の形態において、傾斜部２１または折り曲げ部２２は、必須のものではなく、傾斜部２１または折り曲げ部２２を設けなくてもよい。また、傾斜部２１は、本実施の形態では、交差部Ｃの両側に設けられているが、交差部Ｃから離れる方向に向かって一方の方向のみに形成しても良い。また、折り曲げ部２２は、本実施の形態では交差部Ｃから離れる方向に向かって一方の方向のみに形成されているが、交差部Ｃの両側に形成してもよい。また、傾斜部２１の傾斜や湾曲の程度は、フェンスの上端部における縦線Ｘの傾斜の程度に応じて適宜変更することができる。
【００２０】
取付具本体２は、図１〜図３に示されるように、上面２Ａにネジ穴２３を有している。このネジ穴２３は、後述するしのび返し取付部材３を取り付けるためのネジ穴である。なお、しのび返し取付部材３を用いずにしのび返しを取り付ける場合には、上面２Ａに図示しない所望の数の別のネジ穴を形成してもよい。図１〜図３では、ネジ穴２３は、矩形状の上面２Ａにおける対角線上に２つ形成されているが、しのび返し取付部材３を取り付けることができればその数や場所は特に限定されるものではない。また、本実施の形態では、図１に示されるように、ネジ穴２３に螺合するネジＴによりしのび返し取付部材３と取付具本体２とを固定しているが、縦線Ｘおよび横線Ｙを挟み込んだ状態で取付具本体２としのび返し取付部材３とを固定する固定手段であれば、特にネジに限られず、接着剤や凹凸による嵌合や係止する構造であっても構わない。また、取付具本体２は、図１および図２に示されるように、上面２Ａと、第一の溝Ｇ１に平行な側面Ｓ１、Ｓ２との境界部分において、角が落とされているが、この構成も図示された構成に限定されるものではない。
【００２１】
上述の取付具本体２は、フェンスの上端部における縦線Ｘおよび横線Ｙに取り付けられた後、直接しのび返しを取り付けることもできるが、本実施の形態によれば、図５（ａ）および（ｂ）に示す、取付具本体２に取り付けられるしのび返し取付部材３をさらに備え、このしのび返し取付部材３を介してしのび返しが取り付けられる。このしのび返し取付部材３は、しのび返しを取り付けるための平坦面（後述する上面３Ａ）を有しており、この平坦面により、しのび返しのフェンスへの取り付けが容易になる。なお、しのび返し取付部材３を設けない場合は、取付具本体２の上面２Ａを平坦面とすることもできる。
【００２２】
このしのび返し取付部材３は、しのび返しを取り付けるための平坦面として機能するだけでなく、詳細は後述するが、取付具本体２がフェンスの上端部において、仮取り付けされたとき（取付具本体２が取り付けられたが、しのび返しはまだ取り付けられていない状態）に取付具本体２を落下させずに保持するとともに、横線Ｙに対して回転することを防止することができる。したがって、安定して取付具本体２をフェンスの上端部において支持することができ、しのび返しを取り付けるときの作業が簡単にできるため、不安定な状態でしのび返しを取り付ける必要がなくなり、怪我をする危険性を大きく減らし、安定かつ容易にしのび返しを取り付けることができる。
【００２３】
しのび返し取付部材３は、本実施の形態では、図５（ａ）に示されるように、矩形の平板状を呈している。また、取付部本体２のネジ穴２３に対応する位置に、取付部本体用ネジ穴３１が形成されている。なお、取付部本体２のネジ穴２３同様に、その個数や場所は特に限定されるものではなく、ネジ以外の固定手段を用いる場合は、この取付部本体用ネジ穴３１は必須のものではない。また、取付部本体用ネジ穴３１以外に、図５（ａ）に示されるように、しのび返しを取り付けるためのしのび返し用ネジ穴３２が形成されている。図５（ａ）では、しのび返し用ネジ穴３２は、２つだけ形成されているが、その個数や場所は特に限定されるものではない。なお、本実施の形態では、しのび返し用ネジ穴３２は、第二の溝Ｇ２よりも深い第一の溝Ｇ１に沿う位置に形成されている。このように構成することにより、しのび返し用ネジ穴３２からしのび返し取付部材３の下面３Ｂ（図５（ｂ）参照）側に突出するネジＴのために、取付具本体２にネジ穴を形成する必要がなくなる。すなわち、図６に示されるように、第一の溝Ｇ１に嵌まった横線Ｙと、取付具本体２の上面２Ａとの間には、空間Ｃｌが形成されているため、ネジＴの先端部が空間Ｃｌに収まるため、しのび返し４を取り付けるために、取付具本体２にネジＴの先端部用にネジ穴を別途形成する必要がなくなる。したがって、加工が容易になるとともに製造コストを減らすことができる。
【００２４】
また、本実施の形態では、しのび返し取付部材３には、図５（ａ）および（ｂ）に示されるように、しのび返し取付部材３が取付具本体２に取り付けられたときに、しのび返し取付部材３のうち、第二の溝Ｇ２に対応する位置、すなわち、第二の溝Ｇ２と平行になるように貫通スリット３３が形成されている。この貫通スリット３３は、必須ではないが、図１２に示すようにフェンスの上端部において縦線Ｘが上方に向かって突出している場合に、縦線Ｘの突出部を、しのび返し取付部材３の上面３Ａからはみ出すことなく収容することができ、縦線Ｘが突出しているようなフェンスの場合にも、容易にしのび返し取付具１をフェンスに取り付けることが可能となる。すなわち、取付具本体２のみをフェンスの上端部において取り付けた場合、取付具本体２の上面２Ａから、縦線Ｘの突出部が突出している場合があり、その場合貫通スリット３３が形成されていないと、縦線Ｘの突出部と、しのび返し取付部材３の下面３Ｂ（取付具本体２の上面２Ａと当接する面）とが干渉してしまう。しかしながら、貫通スリット３３が形成されていることにより、縦線Ｘの突出部が、貫通スリット３３を通って収容されることにより、取付具本体２の上面２Ａとしのび返し取付部材３の下面３Ｂとを当接させて固定することができる。
【００２５】
つぎに本発明のしのび返し取付具１のフェンスへの取り付け方法およびしのび返しの取り付け方法を説明する。
【００２６】
図７（ａ）に示されるように、第一の溝Ｇ１に横線Ｙが通るように、かつ、第二の溝Ｇ２に縦線Ｘが通るように、取付具本体２をフェンスの上端部において取り付ける。このとき、第一の溝Ｇ１は、第二の溝Ｇ２よりも深くなるように構成され、第二の溝Ｇ２も縦線Ｘの直径の長さよりも深くなるように構成されているため、取付具本体２の上面２Ａが、しのび返しまたはしのび返し取付部材３を取り付けるための平坦面として機能する。
【００２７】
つぎに、図７（ａ）の状態から、図７（ｂ）に示されるように、取付具本体２にしのび返し取付部材３を取り付け、ネジなどにより固定する（なお、図７（ｂ）では、しのび返し取付部材３は、ネジＴ（図１参照）のネジ頭が、しのび返し取付部材３の上面３Ａから突出しないように、ネジ頭収容凹部３４（図５（ｂ）参照）を有しているため、ネジＴは見えていない）。この図７（ｂ）に示す状態では、縦線Ｘは、取付具本体２の第二の溝Ｇ２の底部と、しのび返し取付部材３の下面３Ｂとの間に挟みこまれているため、横線Ｙを中心としたしのび返し取付具１の回転動作が規制され、しのび返し取付部材３の上面３Ａが水平な状態で維持される。この状態が仮取り付け状態である。
【００２８】
この仮取り付け状態から、図７（ｃ）に示されるように、しのび返し４の長手方向の寸法に合わせて、フェンスに沿った所定の間隔で複数のしのび返し取付具１がフェンスに取り付けられ、しのび返し４を取り付ける。このとき、しのび返し取付部材３の上面３Ａは、図７（ｂ）に示されるような水平な状態で維持され、しのび返し４の取り付け時に、しのび返し取付具１が回転しない。したがって、通常のフラットな面にしのび返し４を取り付けるときと同じように安定した状態で取り付けることができるため、取り付けが非常に容易になるとともに、しのび返し取付具１が回転することによって、しのび返し４の尖端での怪我を防止することができる。なお、図７（ｃ）に示されるように、１つのしのび返し取付具１において、２つのしのび返し４の端部を連結してフェンス上に配置することもできる。
【００２９】
つぎに、縦線Ｘが円形に湾曲したフェンスの上端部に、しのび返し４を取り付ける場合について説明する。なお、以下の説明では、重複する部分については説明を一部省略する。図８に示されるように、縦線Ｘの湾曲した部分は、第二の溝Ｇ２の傾斜部２１に沿って収容されており、縦線Ｘに湾曲した部分がある場合であっても、しのび返し取付具１は安定した平坦面（しのび返し取付部材３の上面３Ａ）を形成することができ、縦線Ｘが円形に湾曲した場合であっても、対応が可能である。したがって、通常のフラットな面にしのび返し４を取り付けるときと同じように安定した状態で取り付けることができるため、取り付けが非常に容易になるとともに、しのび返し取付具１が回転することによって、しのび返し４の尖端での怪我を防止することができる。
【００３０】
つぎに、縦線Ｘがフェンスの上端部において三角形状に折れ曲がって形成されている場合について説明する。
【００３１】
図９に示されるように、縦線Ｘがフェンスの上端部において三角形状に折れ曲がって形成されている場合は、縦線Ｘの折れ曲がった部分（以下、突出部Ｘ１という）は、取付具本体２の上面２Ａから突出している。この場合、貫通スリット３３が形成されたしのび返し取付部材３を用いることにより、突出部Ｘ１を貫通スリット３３に通すことにより、突出部Ｘ１があるフェンスの場合であっても、しのび返し４を取り付けるための平坦面（しのび返し取付部材３の上面３Ａ）を形成することができる。したがって、通常のフラットな面にしのび返し４を取り付けるときと同じように安定した状態で取り付けることができるため、取り付けが非常に容易になるとともに、しのび返し取付具１が回転することによって、しのび返し４の尖端での怪我を防止することができる。また、取付具本体２の第二の溝Ｇ２が傾斜部２１と折り曲げ部２２を有しているため、縦線Ｘが折り曲がって垂直方向に延びている場合にも対応が可能である。
【００３２】
以上のように、本発明によれば、しのび返しを取り付ける際に、安定かつ容易にしのび返しを取り付けることができ、怪我の危険性を大きく減らすことができる。また、平坦面を有しない様々な形状のフェンスに安全にしのび返しを取り付けることが容易になる。
【符号の説明】
【００３３】
１  しのび返し取付具
２  取付具本体
２１  傾斜部
２２  折り曲げ部
２３  ネジ穴
２Ａ  上面
２Ｂ  下面
３  しのび返し取付部材
３１  取付部本体用ネジ穴
３２  しのび返し用ネジ穴
３３  貫通スリット
３４  ネジ頭収容凹部
３Ａ  上面
３Ｂ  下面
４  しのび返し
Ｃ  交差部
Ｃｌ  空間
Ｇ１  第一の溝
Ｇ２  第二の溝
Ｓ１、Ｓ２  側面
Ｔ  ネジ
Ｘ  縦線
Ｘ１  突出部
Ｙ  横線
【図１】
2014020107.tif 000003
【図２】
2014020107.tif 000004
【図３】
2014020107.tif 000005
【図４】
2014020107.tif 000006
【図５】
2014020107.tif 000007
【図６】
2014020107.tif 000008
【図７】
2014020107.tif 000009
【図８】
2014020107.tif 000010
【図９】
2014020107.tif 000011
【図１０】
2014020107.tif 000012
【図１１】
2014020107.tif 000013
【図１２】
2014020107.tif 000014